(57)【要約】【課題】特許文献１におけるような設定方法では、ＤＶＤレコーダーを買い換えた際に、新旧のＤＶＤレコーダーで設定情報がほとんど共通する場合でも、初期設定情報や予約情報などを、ユーザー自身が、再度最初から、製品の取扱説明書を見ながら、操作キーを操作してキー入力しなければならず不便であった。【解決手段】本発明は、上記課題に鑑みなされたものである。第一の発明は、ユーザーによって設定される音声映像出力制御情報を保持可能な保持部と、前記音声映像出力制御情報を他の電子機器とファイル形式で入出力する入出力部と、音声映像出力制御情報に基づいて自身を制御する制御部と、を有するＡＶ装置に関する。【選択図】  図１
2007102932.tif 000002
【特許請求の範囲】
【請求項１】
ユーザーによって設定される音声映像出力制御情報を保持可能な保持部と、
前記音声映像出力制御情報を他の電子機器とファイル形式で入出力する入出力部と、
音声映像出力制御情報に基づいて自身を制御する制御部と、
を有するＡＶ装置。
【請求項２】
コンテンツを記録再生可能な記録媒体ドライブ部を有し、
前記入出力部は、前記記録媒体ドライブ部にて記録再生可能に映像音声出力制御情報をファイル形式で入出力する対記録媒体ドライブ入出力手段を有する請求項１に記載のＡＶ装置。
【請求項３】
通信部を有し
前記入出力部は、前記通信部を介して音声映像出力制御情報を入出力する対通信部入出力手段を有する請求項１又は２に記載のＡＶ装置。
【請求項４】
保持部は、音声映像出力制御情報としてタイマ予約情報、初期設定情報、の少なくともいずれかを含むタイマ等保持手段を有する請求項１から３のいずれか一に記載のＡＶ装置。
【請求項５】
音声映像出力制御情報を設定するか判断する設定判断ステップと、
設定判断ステップでの判断結果が、設定する、である場合に音声映像出力制御情報を設定入力する設定入力ステップと、
保持されている音声映像出力制御情報を他の電子機器とファイル形式で入出力するか判断する入出力判断ステップと、
入出力判断ステップでの判断結果が、ファイル形式で入出力する、である場合に音声映像出力制御情報をファイル形式に変換する変換ステップと、
ファイル形式に変換された音声映像出力制御情報を他の電子機器とファイル形式で入出力する入出力ステップと、
音声映像出力制御情報に基づいて自身を制御するか判断する制御判断ステップと、
制御判断ステップでの判断結果が、自身を制御する、である場合に音声映像出力制御情報に基づいて自身を制御する制御ステップと、
を有するＡＶ装置の動作方法。
【発明の詳細な説明】
【技術分野】
【０００１】
本発明は、ＤＶＤレコーダー、ビデオレコーダー、その他の映像を扱うＡＶ装置であって、音声映像出力制御情報の転送装置に関する。
【背景技術】
【０００２】
新規にＤＶＤレコーダーを購入した場合には、ユーザーは、通常、ＤＶＤレコーダーの初期設定を行う。従来、この初期設定をするためには、ユーザーが製品の取扱説明書を見ながら、手で入力する必要がある。また、番組の予約情報を設定するためには、リモコン等を操作して手入力する必要がある。これは、携帯電話等を利用して遠隔操作で設定する場合でも同様である。例えば、特許文献１には、リモコン機能付き携帯電話機を利用して、所望の電気製品のリモコン仕様データをインターネット上のサーバから取得し、キーパネルの操作により、そのキーパネルと対応関係にある電気製品の制御を行う方法が開示されている。
【特許文献１】特開２００１−２３７９２５
【発明の開示】
【発明が解決しようとする課題】
【０００３】
しかしながら、特許文献１におけるような設定方法では、ＤＶＤレコーダーを買い換えた際に、新旧のＤＶＤレコーダーで設定情報がほとんど共通する場合でも、初期設定情報や予約情報などを、ユーザー自身が、再度最初から、製品の取扱説明書を見ながら、操作キーを操作してキー入力しなければならず不便であった。
【課題を解決するための手段】
【０００４】
本発明は、上記課題に鑑みなされたものである。
第一の発明は、ユーザーによって設定される音声映像出力制御情報を保持可能な保持部と、前記音声映像出力制御情報を他の電子機器とファイル形式で入出力する入出力部と、音声映像出力制御情報に基づいて自身を制御する制御部と、を有するＡＶ装置に関する。
第二の発明は、コンテンツを記録再生可能な記録媒体ドライブ部を有し、前記入出力部が、前記記録媒体ドライブ部にて記録再生可能に映像音声出力制御情報をファイル形式で入出力する対記録媒体ドライブ入出力手段を有する第一の発明に記載のＡＶ装置に関する。
第三の発明は、通信部を有し、前記入出力部が、前記通信部を介して音声映像出力制御情報を入出力する対通信部入出力手段を有する第一の発明又は第二の発明に記載のＡＶ装置に関する。
第四の発明は、保持部が、音声映像出力制御情報としてタイマ予約情報、初期設定情報、の少なくともいずれかを含むタイマ等保持手段を有する第一の発明から第三の発明のいずれか一に記載のＡＶ装置に関する。
【発明の効果】
【０００５】
本発明のＡＶ装置によれば、音声映像出力制御情報をファイル形式で他の機器に入出力することができる。また、記録媒体ドライブ部にて記録再生可能に音声映像出力制御情報をファイル形式で入出力することができる。さらに、通信部を介して音声映像出力制御情報を入出力することができる。
【発明を実施するための最良の形態】
【０００６】
以下に本件発明の実施形態を説明する。実施形態と、請求項との関係はおおむね次のようなものである。
実施形態１は、主に、請求項１、請求項４、請求項５などについて説明している。
実施形態２は、主に、請求項２について説明している。
実施形態３は、主に、請求項３について説明している。
【０００７】
なお、以下に記載する各機能ブロックは、ハードウェア、又はメモリ上に展開しハードウェアを制御することでその作用が得られるソフトウェア、又はハードウェア及びソフトウェアの両方として実現され得る。具体的には、コンピュータを利用するものであれば、ＣＰＵやメモリ、ハードディスクドライブ、ＣＤ−ＲＯＭやＤＶＤ−ＲＯＭなどの読取ドライブ、各種通信用の送受信ポート、インタフェース、その他の周辺装置などのハードウェア構成部や、それらハードウェアを制御するためのドライバプログラムやその他アプリケーションプログラムなどが挙げられる。
【０００８】
また、この発明は装置またはシステムとして実現できるのみでなく、方法としても実現可能である。また、このような発明の一部をソフトウェアとして構成することができることもできる。さらに、そのようなソフトウェアをコンピュータに実行させるために用いるソフトウェア製品、及び同製品を記録媒体に固定した記録媒体も、当然にこの発明の技術的な範囲に含まれる。（本明細書の全体を通じて同様である。）
【０００９】
以下に、図を用いて本発明の実施の形態を説明する。なお、本発明はこれら実施の形態に何ら限定されるものではなく、その要旨を逸脱しない範囲において、種々なる態様で実施しうる。
【００１０】
<<実施形態１>>
以下に、実施形態１について説明する。
<実施形態１の概念>
以下に本実施形態の概念について説明する。本実施形態のＡＶ装置は、ユーザーによって設定される音声映像出力制御情報をファイル形式に変換して、他の電子機器と入出力することに特徴がある。
図２３は、本実施形態の概念の一例を説明するための図である。本実施形態のＡＶ装置２３０１は、音声映像出力制御情報<音量レベル：３０>、<明るさ：２５>、<輝度：２０>を、ファイル形式にて他の電子機器２３０２に出力する。音声映像出力制御情報を取得した他の電子機器は、ＡＶ装置と同じ音声映像出力制御情報を設定することができる。
【００１１】
<構成要件の明示>
以下に、本実施形態の構成要件を明示する。
図１、図１３は、本実施形態のＡＶ装置の機能ブロックの一例を示す図である。ＡＶ装置０１００、１３００は、保持部０１０１、１３０１と、入出力部０１０２、１３０２と、制御部０１０３、１３０３と、からなる。また、保持部は、図１３に示すように、タイマ等保持手段１３０４を有する構成であってもよい。
【００１２】
<構成要件の説明>
以下に、本実施形態の構成要件について説明をする。
（保持部）
「保持部」は、ユーザーによって設定される音声映像出力制御情報を保持可能なように構成されている。ここで「音声映像出力制御情報」とは、音声の出力を制御するための情報及び／又は映像の出力を制御するための情報のことをいう。「音声の出力を制御するための情報」には、一例として、音量、音質（例えば、低音域重視、高音域重視など）、スピーカ種別（例えば、モノラル／ステレオ、５．１ｃｈ（センター、フロントＬ、Ｒ、リアＬ、Ｒ、サブウーハー）サラウンド、サイドウーハー、サブウーハー、「ラージ」と「スモール」などのスピーカコンフィギュレーションなど）、ＡＡＣ（Ａｄｖａｎｃｅｄ  Ａｕｄｉｏ  Ｃｏｄｉｎｇ：ＢＳデジタル放送のサラウンド音声に採用されている音声フォーマット）方式、ドルビーデジタル（ＤＶＤの標準音声フォーマット：ＡＣ−３ともいう）方式などの情報が挙げられる。
【００１３】
また「映像の出力を制御するための情報」には、一例として、映像表示装置（例えばテレビジョン受信装置、パソコン用ディスプレイなど）の画質、明るさ、輝度、色合い、テレビジョン受信装置の種別（例えば、アナログ専用テレビ、デジタル専用テレビ、ハイビジョンテレビ、デジタルハイビジョンテレビなど）、受信可能な放送種別（例えば、地上波デジタル放送、ＢＳデジタル放送、ＣＳ放送、地上波アナログ放送、ＢＳアナログ放送、文字放送など）、チューナの選局情報（例えば、ＢＳデジタル１ｃｈ、地上波デジタル３ｃｈなど）、受信エリア（例えば、沖縄地区、九州地区、中国地区、四国地区、関西地区、東海地区、北陸地区、関東地区、東北地区、北海道地区など）、テレビジョン受信装置の表示方式（例えばＮＴＳＣ（Ｎａｔｉｏｎａｌ  ＴＶ  Ｓｔａｎｄａｒｄｓ  Ｃｏｍｍｉｔｔｅｅ）方式、ＰＡＬ（Ｐｈａｓｅ  Ａｌｔｅｒｎａｔｉｎｇ  Ｌｉｎｅ）方式など）、音量、音質、ディスクの種類（例えばＤＶＤ（Ｄｉｇｉｔａｌ  Ｖｅｒｓａｔｉｌｅ  Ｄｉｓｋ）−ＲＯＭ、ＤＶＤ−Ｒ、ＤＶＤ−ＲＷ、ＤＶＤ−ＲＡＭ、ＤＶＤ−Ｖｉｄｅｏ、ＤＶＤ−ＶＲ、ＤＶＤ＋Ｒ、ＤＶＤ＋ＲＷ、ＤＶＤ＋ＶＲ、Ｂｌｕ−ｒａｙ  Ｄｉｓｃ、ＨＤ  ＤＶＤ、ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）方式対応など）、タイマ予約情報（例えば、Ｇコード：１２３４５６７８、ＢＳデジタル１１ｃｈ：２１００年１月１日０：００〜２：００放送など）などの情報が挙げられる。
【００１４】
なお、上記音声映像出力制御情報は、ＡＶ装置のボタンや、ＡＶ装置を操作するためのリモコンなどを利用して、ユーザーによって設定される。
【００１５】
保持部に保持されている音声映像出力制御情報は、制御部に出力されるなどして利用される。
【００１６】
また保持部は、以下に示すように、タイマ等保持手段を有する構成であってもよい。
（タイマ等保持手段）
「タイマ等保持手段」は、音声映像出力制御情報としてタイマ予約情報、初期設定情報、の少なくともいずれかを含むように構成されている。ここで「タイマ予約情報」とは、放送される番組の録音及び／又は録画の予約を、自身が有しているタイマにより行うための情報のことをいう。タイマ予約情報には、一例として、番組タイトル名、録画（録音）開始日、録画（録音）開始時刻、録画（録音）終了時刻、録画（録音）チャンネル番号、Ｇコード番号などの情報が挙げられる。
【００１７】
図１６は、タイマ予約情報の一例を示すための図である。図１６には、タイマ予約情報として、１）予約番組名：サッカー日本ｖｓブラジル、開始時刻：２０３０年１月１日１９：００、終了時刻：２０３０年１月１日２１：００、チャンネル：ＢＳ１、２）予約番組名：ＮＦＬ  ４９ｅｒ’ｓ  ｖｓ  Ｊｅｔｓ、開始時刻：２０３０年１月２日１３：００、終了時刻：２０３０年１月２日１５：００、チャンネル：４２、３）予約番組名：ドラマ「日の出」、開始時刻：２０３０年１月３日２１：００、終了時刻：２０３０年１月３日２３：００、チャンネル：１４、が示されている。これらの情報は、一例として、ユーザーが設定画面を見ながら、リモコン操作により、設定される。
【００１８】
また「初期設定情報」とは、電子機器を初期設定するための情報のことをいう。初期設定情報は、自身を初期設定したり、他の電子機器を初期設定したりするために利用される。初期設定情報には、一例として、上述した映像表示装置の画質、明るさ、輝度、色合い、シャープネス、チューナの選局情報（例えばオートスキャン設定など）、受信エリア、ＮＴＳＣ方式とＰＡＬ方式との切り替え、音量レベル、音質、ディスクの種類（例えばＤＶＤ−ＲＯＭ、ＤＶＤ−Ｒ、ＤＶＤ−ＲＷ、ＤＶＤ−ＲＡＭ、ＤＶＤ−Ｖｉｄｅｏ、ＤＶＤ−ＶＲ、ＤＶＤ＋Ｒ、ＤＶＤ＋ＲＷ、ＤＶＤ＋ＶＲ、Ｂｌｕ−ｒａｙ  Ｄｉｓｃ、ＨＤ  ＤＶＤ、ＣＰＲＭ方式対応など）、録画モード（例えば、通常録画モード、４時間録画モード、６時間録画モードなど）、回線種別（例えば６４ｋｂｐｓ、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）、ＡＤＳＬ（Ａｓｙｍｍｅｔｒｉｃ  Ｄｉｇｉｔａｌ  Ｓｕｂｓｃｒｉｂｅｒ  Ｌｉｎｅ）、光回線など）、プロバイダ設定などの情報が挙げられる。
【００１９】
図１７は、初期設定情報の一例を示すための図である。図１７には、初期設定情報として、１−（１）テレビの種別：デジタル放送受信テレビ、１−（２）ＢＳ放送受信：あり、１−（３）受信エリア：関西地方（大阪エリア）、１−（４）選局情報：４チャンネル：毎朝テレビ、２−（１）画面の明るさ：明るめ、２−（２）画面の輝度：高輝度、２−（３）画面の色合い：緑っぽく、２−（４）音量：レベル２０、３−（１）録画モード（ＤＶＤ）：４時間モード、３−（２）録画モード（ビデオテープ）：３倍速、が示されている。これらの情報は、一例として、ユーザーが設定画面を見ながら、リモコン操作により、設定される。
【００２０】
なお本発明の「ＡＶ装置」には、一例として、テレビジョン装置、ＤＶＤレコーダー、ビデオレコーダー、ＣＤ、ＭＤ、その他の音声、映像を扱うＡＶ装置などが挙げられる。また「他の電子機器」には、一例として、上記本発明のＡＶ装置に加えて、携帯端末（例えば携帯電話機、ＰＤＡ（Ｐｅｒｓｏｎａｌ  Ｄｉｇｉｔａｌ  Ａｓｓｉｓｔａｎｃｅ）携帯情報端末など）、パソコンなどが挙げられる。本発明の「ＡＶ装置」と「他の電子機器」は、上記のいずれの組み合わせであってもよいが、同種のＡＶ装置と他の電子機器との組み合わせである場合に効果がある。
【００２１】
タイマ等保持手段に保持されているタイマ予約情報、初期設定情報、の少なくともいずれかは、制御部に出力されるなどして利用される。
【００２２】
（入出力部）
「入出力部」は、音声映像出力制御情報を他の電子機器とファイル形式で入出力するように構成されている。ここで「ファイル」とは、補助記憶装置に記憶される際に、一かたまりとして取り扱われるデータのことをいう。ファイルには、一例として、音声制御用ファイル、映像制御用ファイル、音声映像出力制御用ファイル、タイマ予約用ファイルなどが挙げられる。音声制御用ファイルには、一例として、音量レベル、音質を記録したファイルが挙げられる。映像制御用ファイルには、一例として、映像表示装置の画質、明るさ、輝度、色合い、チューナの選局情報、受信エリア、ディスクの種類、録画モード（例えば、通常録画モード、４時間録画モード、６時間録画モードなど）などの情報が記録されたファイルなどが挙げられる。
【００２３】
ファイルは、一つのファイルにまとめて記録媒体（例えば、ハードディスクやフロッピー（登録商標）ディスク、ＣＤ−ＲＯＭなど）に記録されてもよいし、複数ファイルに分割して記録媒体に記録されてもよい。
【００２４】
図１８は、音声映像出力制御情報を一つにまとめてファイル形式にする場合において、未設定状態でファイル形式に変換された音声映像出力制御情報の内容の一例を示している。音声映像出力制御情報の内容を示す１８００内の領域１８０１は、音声映像出力制御情報が適用可能な適用機種、機種名を識別するための情報を予め示す領域である。例えば、適用機種：ＴＶ（テレビ）、ＤＶＤ、機種名：ＳＨＴＶ０１、ＳＨＴＶ０２、ＳＨＴＶ０３、ＳＨＤＶＤ０１、ＳＨＤＶＤ０２、ＳＨＤＶＤ０３と示されている。また音声映像出力制御情報の内容を示す１８００内の領域１８０２はユーザーが設定する音声映像出力制御情報の領域である。例えば、音声映像出力制御情報として、音量デフォルト、明るさ、輝度、・・・などを設定することができる（図１８においては、未設定なので値は設定されていない）。
【００２５】
図１９は、図１８の状態から、設定された音声映像出力制御情報を保持部から取得してファイル形式に変換された音声映像出力制御情報の内容の一例を示す図である。例えば、ユーザーが音声映像出力制御情報を入力すると、音声映像出力制御情報が保持部に保持される。そして入出力部は、保持部に保持されている音声映像出力制御情報をファイル形式に変換する。音声映像出力制御情報の内容を示す１９００内の領域１９０１は、音声映像出力制御情報が適用可能な適用機種、機種名を識別するための情報を予め示す領域であり、図１８と同じである。領域１９０２において、音声映像出力制御情報として、音量デフォルトに値<２６>、明るさに値<１９>、輝度に値<１５>、・・・などがファイル形式で示されている。なお、設定された音声映像出力制御情報は、共通のものであったとしても、適用する機種が異なれば、適用機種によって使用する項目が異なっていてもよい。例えば、ＤＶＤには、録画モードの項目を使用するが、ＴＶでは録画モードの項目は使用しない、といった具合である。
【００２６】
次に、ユーザーが音声映像出力制御情報を項目ごとに設定して複数のファイルにする場合を考える。
図２０は、音声映像出力制御情報の項目の一つである<音量デフォルト>として（Ｘ）を入力し、ファイル形式に変換するためのプログラムの一例を示す図である。以下、簡単に、上記プログラムを利用する場合の動作について説明する。ユーザーは、設定画面の案内にしたがって、<音量デフォルト>として（Ｘ）を入力し、入力が完了した段階で、完了ボタンを押すと、その値が保持部に保持される。入出力部は、保持部に保持されている当該音声映像出力制御情報の項目である<音量デフォルト>に対応するファイルを作成する。作成されたファイルには、一例として、ファイル名の末尾に、ファイルの種類をあらわす「拡張子」と呼ばれる数文字のアルファベットが付加される。ファイルの種類は、拡張子によって識別することができる。従って、拡張子の種類によって、制御すべき電子機器のドライバなどを判定することも可能である。
【００２７】
なお、生成されたファイルは、例えば、ＡＶ装置の操作画面において、ファイルをアイコン（絵文字）の形で表示し、リモコンやマウスによる操作でファイルを開いて編集したり、移動や削除などの操作を加えたりするように構成することもできる。
図２１は、音声映像出力制御情報が項目ごとに設定されて複数のファイルが生成された場合のアイコン表示の一例を示すための図である。画面２１００においては、音声映像出力制御情報の各項目（ｂ：明るさ）、（ｓ：シャープネス）、（ｘ：音量デフォルト）がアイコン表示されている。この状態から、マウスのカーソルを（ｂ：明るさ）に移動してクリックすると、（ｂ：明るさ）の設定内容が表示される。
図２２は、表示された音声映像出力制御情報の項目（ｂ：明るさ）の設定内容の一例を示すための図である。画面２２００においては、（ｂ：明るさ）の設定内容が、設定値２４と表示されている。
【００２８】
さらに、ＡＶ装置のＯＳ（Ｏｐｅｒａｔｉｎｇ  Ｓｙｓｔｅｍ）が、データをファイル単位で管理するように構成することも可能である。生成されたファイル形式の音声映像出力制御情報は、他の電子機器に入出力されるなどして利用される。また制御される相手の電子機器に応じて複数の音声映像出力制御情報が出力されるように構成することも可能である。なお他の電子機器は、ＡＶ装置からファイル形式の音声映像出力制御情報を入力した場合には、当該音声映像出力制御情報により、自身の音声映像出力を制御することもできる。
【００２９】
なお、入出力部が音声映像出力制御情報を他の電子機器へファイル形式で出力する場合において、ファイル形式への変換は、入出力部で行われてもよいし、入出力部の外部でファイル形式に変換されたものを入出力部が取得して、他の電子機器に出力するように構成されていてもよい。また、他の電子機器からは、ファイル形式の映像音声出力制御情報を入力することもできる。
【００３０】
（制御部）
「制御部」は、音声映像出力制御情報に基づいて自身を制御するように構成されている。ここで「音声映像出力制御情報」は、自身の保持部から取得することもできるし、他の電子機器からファイル形式で取得することもできる。他の電子機器からファイル形式で取得する場合には、例えば、音声映像出力制御情報を、自身をドライブすることが可能な形式のデータに変換することによって自身を制御することが可能となる。なお、自身に保持されている音声映像出力制御情報を、他の電子機器から入力された音声映像出力制御情報によって上書きするように構成することもできる。
【００３１】
<処理の流れ>
以下に、本実施形態の処理の流れについて説明する。なお、以下に示す処理の流れは、方法、計算機に実行させるためのプログラム、またはそのプログラムが記録された読み取り可能な記録媒体として実施されうる（これは、本明細書のその他の処理の流れについても同様である）。
図２は、本実施形態の処理の流れの一例を示す図である。
まず、本実施形態のＡＶ装置において、設定判断ステップは、ユーザーが音声映像出力制御情報を設定するか判断する（ステップＳ０２０１）。設定判断ステップでの判断結果が<設定しない>である場合には、ステップＳ０２０１を繰り返す。
次に、設定入力ステップは、設定判断ステップでの判断結果が<設定する>である場合に音声映像出力制御情報を設定入力し（ステップＳ０２０２）、音声映像出力制御情報が保持されるように設定される（ステップＳ０２０３）。
次に、入出力判断ステップは、保持されている音声映像出力制御情報を他の電子機器にファイル形式で出力するか判断する（ステップＳ０２０４）。
次に、変換ステップは、入出力判断ステップでの判断結果が<ファイル形式で出力する>である場合に音声映像出力制御情報をファイル形式に変換する（ステップＳ０２０５）。
次に、入出力ステップは、ファイル形式に変換された音声映像出力制御情報を他の電子機器にファイル形式で出力する（ステップＳ０２０６）。
次に、制御判断ステップは、入出力判断ステップでの判断結果が<ファイル形式で出力しない>である場合に音声映像出力制御情報に基づいて自身を制御するか判断する（ステップＳ０２０７）。制御判断ステップでの判断結果が<自身を制御しない>である場合には、ステップＳ０２０４に戻る。
次に、制御ステップは、制御判断ステップでの判断結果が<自身を制御する>である場合に音声映像出力制御情報に基づいて自身を制御する（ステップＳ０２０８）。
なお、上記ステップＳ０２０５からＳ０２０６までの実行処理ブロックと、ステップＳ０２０７からＳ０２０８までの実行処理ブロックは、その実行する順序が逆であってもよいし、同時であってもよい。
【００３２】
なお、入出力部が他の電子機器から音声映像出力制御情報を入力する場合には、入出力部は、音声映像出力制御情報を他の電子機器からファイル形式で入力し、保持部に記録する。
【００３３】
<具体的機能ブロック図>
以下に、本実施形態の具体的機能ブロックについて説明する。
図３、図１４は、本実施形態のＡＶ装置の具体的機能ブロックの一例を示す図である。ＡＶ装置０３００、１４００は、保持部０３０１、１４０１と、入出力部０３０２、１４０２と、制御部０３０３、１４０３と、からなる。また、保持部は、図１４に示すように、タイマ等保持手段１４０４を有する構成であってもよい。以下に、動作を簡単に説明する。
まず、ユーザーが音声映像出力制御情報を設定することにより、音声映像出力制御情報（タイマ予約情報、初期設定情報等）が保持部（あるいはタイマ等保持手段）に保持される。次に、入出力部は、保持されている音声映像出力制御情報を取得し、ファイル形式に変換して、他の電子機器に出力する。また、制御部は、音声映像出力制御情報に基づいて自身を制御する。
なお、入出力部が他の電子機器から音声映像出力制御情報を入力する場合には、入出力部は、音声映像出力制御情報を他の電子機器からファイル形式で入力し、保持部に記録する。
【００３４】
<実施例１：ハードウェア構成図>
以下に、本実施形態の実施例１について説明する。
図４、図１５は、本実施例のＡＶ装置のハードウェア構成の一例を示す概略図である。この図を利用して、ＡＶ装置の音声映像出力制御情報の入出力処理におけるそれぞれのハードウェア構成部の働きについて説明する。この図にあるように、ＡＶ装置０４００、１５００は、保持部０４０１、１５０１に「フラッシュメモリ」（０４０４、１５０４）を備えている。また、保持部１５０１は、「タイマ等保持手段」（１５１２）を有する構成であってもよい。また、ＡＶ装置は、入出力部０４０２、１５０２に「入出力コントローラ」（０４０５、１５０５）を備えている。また、ＡＶ装置は、制御部０４０３、１５０３に「ＡＶコントローラ」（０４０６、１５０６）を備えている。また、ＡＶ装置は、「ＣＰＵ（中央処理装置）」（０４０７、１５０７）と、「記憶装置」（０４０８、１５０８）と、「主メモリ」（０４０９、１５０９）と、「内蔵時計」（０４１０、１５１０）とを備えている。そして、それらが「システムバス」（０４１１、１５１１）などのデータ通信経路によって相互に接続され、情報の送受信や処理を行う。
【００３５】
記憶装置は、ＣＰＵにて実行される各種プログラム（例えば音声映像出力制御情報取得用プログラム、ファイル化用プログラム、自身制御用プログラムなど）、コンテンツのデータ、他の電子機器ＩＤなどを記憶している。またＣＰＵは、記憶装置に記憶されているプログラムを実行するために読み出す。それと同時に主メモリは、そのプログラムの作業領域でもあるワーク領域を提供する。また、主メモリや記憶装置にはそれぞれメモリアドレスが割り当てられており、ＣＰＵで実行されるプログラムは、そのメモリアドレスを特定しアクセスすることで相互にデータのやり取りを行い、処理を行うことが可能になっている。また内蔵時計は、現在時間を計時し出力する機能を備える。また、入出力コントローラは、ＣＰＵからの指令により、フラッシュメモリからの音声映像出力制御情報（タイマ予約情報、初期設定情報等、以下同じ）を読み出したり、取得した音声映像出力制御情報を主メモリを利用してファイル形式に変換したり、他の電子機器にファイル形式の音声映像出力制御情報を入出力したりする処理を行う。また、ＡＶコントローラは、ＣＰＵからの指令により、フラッシュメモリからの音声映像出力制御情報を読み出し、取得した音声映像出力制御情報に基づいて自身を制御する処理を行う。以上が各ハードウェア構成の機能である。なお、入出力コントローラ、ＡＶコントローラは、ハードウェアのみによって構成されていてもよいし、ソフトウェア制御のみであってもよいし、あるいはハードウェア及びソフトウェアによって構成されていてもよい。
【００３６】
以下に、フラッシュメモリから取得した音声映像出力制御情報を入出力コントローラから他の電子機器に出力する場合について説明する。まずＣＰＵからの入出力命令により、記憶装置に記憶されている音声映像出力制御情報取得用プログラム（アドレス０１）が主メモリのワーク領域に展開され、フラッシュメモリから音声映像出力制御情報を取得するように、入出力コントローラに起動がかけられる。起動がかけられた入出力コントローラは、フラッシュメモリから音声映像出力制御情報（アドレス２１）を取得するとともに、主メモリ（アドレス１２）に書き込む。次に、ＣＰＵからのファイル化命令により入出力コントローラは、ファイル化用プログラムを主メモリ（アドレス１０）に展開し、ファイル化用プログラムに従って、上記音声映像出力制御情報をファイル形式に変換する。次に、入出力コントローラは、ファイル形式に変換された音声映像出力制御情報を他の電子機器ＩＤ（記憶装置のアドレス０５）に示される他の電子機器に出力する。
【００３７】
次に、フラッシュメモリから取得した音声映像出力制御情報をＡＶコントローラが自身を制御する場合について説明する。まずＣＰＵからの自身制御命令により、記憶装置に記憶されている自身制御用プログラム（アドレス０３）が主メモリのワーク領域に展開され、フラッシュメモリから音声映像出力制御情報を取得するように、ＡＶコントローラに起動がかけられる。起動がかけられたＡＶコントローラは、フラッシュメモリから音声映像出力制御情報（アドレス２１）を取得するとともに、主メモリ（アドレス１２）に書き込む。次に、ＡＶコントローラは、取得した音声映像出力制御情報に基づいて自身の制御を行う。
【００３８】
<実施形態１の効果の簡単な説明>
本実施形態のＡＶ装置によれば、音声映像出力制御情報をファイル形式で他の電子機器と入出力できる。従って、ファイル形式の音声映像出力制御情報に基づいて他の電子機器の制御を行うことが可能となる。
【００３９】
<<実施形態２>>
以下に、実施形態２について説明する。
<実施形態２の概念>
以下に本実施形態の概念について説明する。本実施形態のＡＶ装置は、コンテンツを記録再生可能な記録媒体ドライブ部を有し、前記入出力部が、前記記録媒体ドライブ部にて記録再生可能に映像音声出力制御情報をファイル形式で入出力する対記録媒体ドライブ入出力手段を有する実施形態１に記載のＡＶ装置に関する。
【００４０】
<構成要件の明示>
以下に、本実施形態の構成要件を明示する。
図５は、本実施形態のＡＶ装置の機能ブロックの一例を示す図である。ＡＶ装置０５００は、保持部０５０１と、入出力部０５０２と、制御部０５０３と、記録媒体ドライブ部０５０４と、からなる。また、入出力部は、対記録媒体ドライブ入出力手段０５０５を有する。さらに、保持部は、図示していないが、タイマ等保持手段を有する構成であってもよい。
【００４１】
<構成要件の説明>
以下に、本実施形態の構成要件について説明をする。
（保持部）、（タイマ等保持手段）、（制御部）
「保持部」、「タイマ等保持手段」、「制御部」については、実施形態1の「保持部」、「タイマ等保持手段」、「制御部」と同様であるので説明を省略する。
【００４２】
（記録媒体ドライブ部）
「記録媒体ドライブ部」は、後述の対記録媒体ドライブ入出力手段から出力されたファイル形式の映像音声出力制御情報を記録媒体に書き込むように構成されている。ここで記録媒体への書き込みにあたっては、映像音声出力制御情報は、記録媒体のフォーマットに適合するフォーマットのファイル形式に変換される。また自身に記録されているファイル形式の映像音声出力制御情報を対記録媒体ドライブ入出力手段に出力するように構成されている。さらに、記録媒体ドライブ部は、コンテンツを記録再生可能なように構成されている。ここで「記録媒体」には、一例として、ハードディスク、フロッピー（登録商標）ディスク、ＣＤ−Ｒ、ＣＤ−ＲＷ、ＤＶＤ−Ｒ、ＤＶＤ−ＲＷ、ＤＶＤ−ＲＡＭ、Ｂｌｕ−ｒａｙ  Ｄｉｓｃ、ＨＤ  ＤＶＤ、ＭＤ（Ｍｉｎｉ  Ｄｉｓｃ）などが挙げられる。また、「コンテンツ」には、一例として、音楽データ、映像データ、静止画データなどが挙げられる。記録媒体ドライブ部は、後述の対記録媒体ドライブ入出力手段により、記録再生可能に映像音声出力制御情報をファイル形式で入出力する。
【００４３】
（入出力部）
「入出力部」は、対記録媒体ドライブ入出力手段を有するように構成されている。それ以外は実施形態1の（入出力部）と同様なので説明を省略する。
（対記録媒体ドライブ入出力手段）
「対記録媒体ドライブ入出力手段」は、記録媒体ドライブ部にて記録再生可能に映像音声出力制御情報をファイル形式で入出力するように構成されている。対記録媒体ドライブ入出力手段は、入出力する記録媒体ドライブ部の規格に適合するファイル形式に映像音声出力制御情報を変換し、若しくは、入出力する記録媒体ドライブ部の規格に適合するファイル形式に変換された映像音声出力制御情報を外部から取得して、記録媒体ドライブ部に変換された映像音声出力制御情報を出力する。また、記録媒体ドライブ部からファイル形式の映像音声出力制御情報を入力することもできる。
【００４４】
<処理の流れ>
以下に、本実施形態の処理の流れについて説明する。
図６は、本実施形態の処理の流れの一例を示す図である。
まず、本実施形態のＡＶ装置において、設定判断ステップは、ユーザーが音声映像出力制御情報を設定するか判断する（ステップＳ０６０１）。設定判断ステップでの判断結果が<設定しない>である場合には、ステップＳ０６０１を繰り返す。
次に、設定入力ステップは、設定判断ステップでの判断結果が<設定する>である場合に音声映像出力制御情報を設定入力し（ステップＳ０６０２）、音声映像出力制御情報が保持されるように設定される（ステップＳ０６０３）。
次に、入出力判断ステップは、保持されている音声映像出力制御情報を他の電子機器にファイル形式で出力するか判断する（ステップＳ０６０４）。
次に、変換ステップは、入出力判断ステップでの判断結果が<ファイル形式で出力する>である場合に音声映像出力制御情報をファイル形式に変換する（ステップＳ０６０５）。
次に、対記録媒体ドライブ入出力ステップは、記録媒体ドライブ部にて記録再生可能に映像音声出力制御情報をファイル形式で出力する（ステップＳ０６０６）。
次に、制御判断ステップは、入出力判断ステップでの判断結果が<ファイル形式で出力しない>である場合に音声映像出力制御情報に基づいて自身を制御するか判断する（ステップＳ０６０７）。制御判断ステップでの判断結果が<自身を制御しない>である場合には、ステップＳ０６０４に戻る。
次に、制御ステップは、制御判断ステップでの判断結果が<自身を制御する>である場合に音声映像出力制御情報に基づいて自身を制御する（ステップＳ０６０８）。
なお、上記ステップＳ０６０５からＳ０６０６までの実行処理ブロックと、ステップＳ０６０７からＳ０６０８までの実行処理ブロックは、その実行する順序が逆であってもよいし、同時であってもよい。
なお、対記録媒体ドライブ入出力手段が記録媒体ドライブ部から音声映像出力制御情報を入力する場合には、対記録媒体ドライブ入出力手段は、音声映像出力制御情報を記録媒体ドライブ部からファイル形式で入力し、保持部に記録する。
【００４５】
<具体的機能ブロック図>
以下に、本実施形態の具体的機能ブロックについて説明する。
図７は、本実施形態のＡＶ装置の具体的機能ブロックの一例を示す図である。ＡＶ装置０７００は、保持部０７０１と、入出力部０７０２と、制御部０７０３と、記録媒体ドライブ部０７０４と、からなる。また、入出力部は、対記録媒体ドライブ入出力手段０５０５を有する。さらに、保持部は、図示していないが、タイマ等保持手段を有する構成であってもよい。以下に、動作を簡単に説明する。
まず、ユーザーが音声映像出力制御情報を設定することにより、音声映像出力制御情報（タイマ予約情報、初期設定情報等）が保持部（あるいはタイマ等保持手段）に保持される。次に、入出力部の対記録媒体ドライブ入出力手段は、保持されている音声映像出力制御情報を取得し、ファイル形式に変換して、記録媒体ドライブ部に出力する。次に、記録媒体ドライブ部は、音声映像出力制御情報を記録媒体に書き込む。また、制御部は、音声映像出力制御情報に基づいて自身を制御する。
なお、対記録媒体ドライブ入出力手段が記録媒体ドライブ部から音声映像出力制御情報を入力する場合には、対記録媒体ドライブ入出力手段は、音声映像出力制御情報を記録媒体ドライブ部からファイル形式で入力し、保持部に記録する。
【００４６】
<実施例２：ハードウェア構成図>
以下に、本実施形態の実施例２について説明する。
図８は、本実施例のＡＶ装置のハードウェア構成の一例を示す概略図である。この図を利用して、ＡＶ装置の音声映像出力制御情報の入出力処理におけるそれぞれのハードウェア構成部の働きについて説明する。この図にあるように、ＡＶ装置０８００は、保持部０８０１に「フラッシュメモリ」（０８０６）を備えている。また、ＡＶ装置は、入出力部０８０２に「対記録媒体ドライブ入出力手段」（０８０５）と、「入出力コントローラ」（０８０７）とを備えている。また、対記録媒体ドライブ入出力手段は、「対記録媒体ドライブコントローラ」（０８１０）を備えている。また、ＡＶ装置は、制御部０８０３に「ＡＶコントローラ」（０８０８）を備えている。また、ＡＶ装置は、記録媒体ドライブ部０８０４に「ドライブ用コントローラ」（０８０９）を備えている。ドライブ用コントローラは、「入出力インタフェース」（０８１６）と接続されている。また、ＡＶ装置は、「ＣＰＵ（中央処理装置）」（０８１１）と、「記憶装置」（０８１２）と、「主メモリ」（０８１３）と、「内蔵時計」（０８１４）とを備えている。そして、それらが「システムバス」（０８１５）などのデータ通信経路によって相互に接続され、情報の送受信や処理を行う。
【００４７】
記憶装置は、ＣＰＵにて実行される各種プログラム（例えば音声映像出力制御情報取得用プログラム、ファイル化用プログラム、自身制御用プログラムなど、記録媒体ドライブ用プログラムなど）、コンテンツのデータ、他の電子機器ＩＤなどを記憶している。また、対記録媒体ドライブコントローラは、入出力インタフェースを介して、ＣＰＵからの指令により、主メモリを利用して、フラッシュメモリからの音声映像出力制御情報を読み出したり、取得した音声映像出力制御情報を記録媒体ドライブ部に適合するファイル形式に変換したりする処理を行う。また、ドライブ用コントローラは、ＣＰＵからの指令により、取得したファイル形式の音声映像出力制御情報に基づいて自身を制御してコンテンツの記録再生処理を行う。それ以外の構成については、実施形態１の実施例１と同様であるので説明を省略する。以上が各ハードウェア構成の機能である。なお、対記録媒体ドライブコントローラ、入出力コントローラ、ＡＶコントローラは、ハードウェアのみによって構成されていてもよいし、ソフトウェア制御のみであってもよいし、あるいはハードウェア及びソフトウェアによって構成されていてもよい。
【００４８】
以下に、フラッシュメモリから取得した音声映像出力制御情報を対記録媒体ドライブコントローラからドライブ用コントローラに出力する場合について説明する。まずＣＰＵからの対記録媒体ドライブ入出力命令により、記憶装置に記憶されている音声映像出力制御情報取得用プログラム（アドレス０１）が主メモリのワーク領域に展開され、フラッシュメモリから音声映像出力制御情報を取得するように、入出力コントローラに起動がかけられる。起動がかけられた対記録媒体ドライブコントローラは、フラッシュメモリから音声映像出力制御情報（アドレス２１、２２）を取得するとともに、主メモリ（アドレス１２、１３）に書き込む。次に、ＣＰＵからのファイル化命令により対記録媒体ドライブコントローラは、ファイル化用プログラムを主メモリ（アドレス１０）に展開し、ファイル化用プログラムに従って、上記音声映像出力制御情報をファイル形式に変換する。次に、対記録媒体ドライブコントローラは、ファイル形式に変換された音声映像出力制御情報をドライブ用コントローラに出力する。次に、ドライブ用コントローラは、記録媒体ドライブ用プログラムを主メモリに展開し、記録媒体ドライブ用プログラムに従って、上記音声映像出力制御情報を記録媒体に適合するファイル形式に変換し、記録媒体に記録する。なお、音声映像出力制御情報をＤＶＤに記録する場合には、一例として、リードイン領域のコントロールデータゾーンの空領域を利用して、記録することが考えられる。
【００４９】
フラッシュメモリから取得した音声映像出力制御情報をＡＶコントローラが自身を制御する場合については、実施形態1の実施例1と同様なので説明を省略する。
【００５０】
<実施形態２の効果の簡単な説明>
本実施形態のＡＶ装置によれば、音声映像出力制御情報をファイル形式で記録媒体ドライブ部と入出力できる。従って、ファイル形式の音声映像出力制御情報に基づいて記録媒体ドライブ部に搭載される記録媒体のコンテンツの記録再生などの制御を行うことが可能となる。
【００５１】
<<実施形態３>>
以下に、実施形態３について説明する。
<実施形態３の概念>
以下に本実施形態の概念について説明する。本実施形態のＡＶ装置は、通信部を有し
【００５２】
前記入出力部は、前記通信部を介して音声映像出力制御情報を入出力する対通信部入出力手段を有する実施形態１又は２に記載のＡＶ装置に関する。
【００５３】
<構成要件の明示>
以下に、本実施形態の構成要件を明示する。
図９は、本実施形態のＡＶ装置の機能ブロックの一例を示す図である。ＡＶ装置０９００は、保持部０９０１と、入出力部０９０２と、制御部０９０３と、通信部０９０６と、からなる。また、入出力部は、対通信部入出力手段０９０７を有する。また、記録媒体ドライブ部０９０４と、対記録媒体ドライブ入出力手段０９０５（入出力部）、を有する構成であってもよい。さらに、保持部は、図示していないが、タイマ等保持手段を有する構成であってもよい。
【００５４】
<構成要件の説明>
以下に、本実施形態の構成要件について説明をする。
（保持部）、（タイマ等保持手段）、（制御部）、（記録媒体ドライブ部）
「保持部」、「タイマ等保持手段」、「制御部」、「記録媒体ドライブ部」については、実施形態1又は２の「保持部」、「タイマ等保持手段」、「制御部」、「記録媒体ドライブ部」と同様であるので説明を省略する。
【００５５】
（通信部）
「通信部」は、ファイル形式の音声映像出力制御情報を通信ネットワークを介して入出力するように構成されている。ここで「通信ネットワーク」とは、一例として、インターネットワーク、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、光通信ネットワーク、無線ネットワーク、有線ネットワークなどが挙げられる。通信部は、入力したファイル形式の音声映像出力制御情報を入力部の対通信部入出力手段に出力する。また、ファイル形式の音声映像出力制御情報を通信ネットワークに出力する。
【００５６】
（入出力部）
「入出力部」は、対通信部入出力手段を有するように構成されている。それ以外は実施形態1又は２の（入出力部）と同様なので説明を省略する。
（対通信部入出力手段）
「対通信部入出力手段」は、通信部を介して音声映像出力制御情報を入出力するように構成されている。対通信部入出力手段は、入出力する通信ネットワークの規格に適合するファイル形式に映像音声出力制御情報を変換し、若しくは、入出力する通信ネットワークの規格に適合するファイル形式に変換された映像音声出力制御情報を外部から取得して、通信部に変換された映像音声出力制御情報を出力する。例えば、ＯＳＩ参照モデル（Ｏｐｅｎ  Ｓｙｓｔｅｍｓ  Ｉｎｔｅｒｃｏｎｎｅｃｔｉｏｎ  ｒｅｆｅｒｅｎｃｅ  ｍｏｄｅｌ）のアプリケーション層に相当するファイル形式で映像音声出力制御情報を取得した場合には、順次、プレゼンテーション層、トランスポート層、セッション層、ネットワーク層、データリンク層のファイル形式に変換して最終的に物理層に相当するＥｔｈｅｒｎｅｔ（登録商標）の規格に適合するように映像音声出力制御情報を変換して通信ネットワークに出力する。また、通信ネットワーク経由で通信部からファイル形式の映像音声出力制御情報を入力することもできる。
【００５７】
<処理の流れ>
以下に、本実施形態の処理の流れについて説明する。
図１０は、本実施形態の処理の流れの一例を示す図である。
まず、本実施形態のＡＶ装置において、設定判断ステップは、ユーザーが音声映像出力制御情報を設定するか判断する（ステップＳ１００１）。設定判断ステップでの判断結果が<設定しない>である場合には、ステップＳ１００１を繰り返す。
次に、設定入力ステップは、設定判断ステップでの判断結果が<設定する>である場合に音声映像出力制御情報を設定入力し（ステップＳ１００２）、音声映像出力制御情報が保持されるように設定される（ステップＳ１００３）。
次に、入出力判断ステップは、保持されている音声映像出力制御情報を他の電子機器にファイル形式で出力するか判断する（ステップＳ１００４）。
次に、変換ステップは、入出力判断ステップでの判断結果が<ファイル形式で出力する>である場合に音声映像出力制御情報をファイル形式に変換する（ステップＳ１００５）。
次に、対通信部入出力ステップは、通信部に対して音声映像出力制御情報を出力する（ステップＳ１００６）。
次に、通信ステップは、通信ネットワークに対して音声映像出力制御情報を出力する（ステップＳ１００７）。
次に、制御判断ステップは、入出力判断ステップでの判断結果が<ファイル形式で出力しない>である場合に音声映像出力制御情報に基づいて自身を制御するか判断する（ステップＳ１００８）。制御判断ステップでの判断結果が<自身を制御しない>である場合には、ステップＳ１００４に戻る。
次に、制御ステップは、制御判断ステップでの判断結果が<自身を制御する>である場合に音声映像出力制御情報に基づいて自身を制御する（ステップＳ１００９）。
なお、上記ステップＳ１００５からＳ１００７までの実行処理ブロックと、ステップＳ１００８からＳ１００９までの実行処理ブロックは、その実行する順序が逆であってもよいし、同時であってもよい。
なお、対通信部入出力手段が通信部から音声映像出力制御情報を入力する場合には、対通信部入出力手段は、音声映像出力制御情報を通信部からファイル形式で入力し、保持部に記録する。
【００５８】
<具体的機能ブロック図>
以下に、本実施形態の具体的機能ブロックについて説明する。
図１１は、本実施形態のＡＶ装置の機能ブロックの一例を示す図である。ＡＶ装置１１００は、保持部１１０１と、入出力部１１０２と、制御部１１０３と、通信部１１０６と、からなる。また、入出力部は、対通信部入出力手段１１０７を有する。また、記録媒体ドライブ部１１０４と、対記録媒体ドライブ入出力手段１１０５（入出力部）、を有する構成であってもよい。さらに、保持部は、図示していないが、タイマ等保持手段を有する構成であってもよい。以下に、動作を簡単に説明する。
まず、ユーザーが音声映像出力制御情報を設定することにより、音声映像出力制御情報（タイマ予約情報、初期設定情報等）が保持部（あるいはタイマ等保持手段）に保持される。次に、入出力部の対記録媒体ドライブ入出力手段は、保持されている音声映像出力制御情報を取得し、ファイル形式に変換して、記録媒体ドライブ部に出力する。また、入出力部の対通信部入出力手段は、保持されている音声映像出力制御情報を取得し、ファイル形式に変換して、通信部に出力する。また、制御部は、音声映像出力制御情報に基づいて自身を制御する。
なお、対通信部入出力手段が通信部から音声映像出力制御情報を入力する場合には、対通信部入出力手段は、音声映像出力制御情報を通信部からファイル形式で入力し、保持部に記録する。
【００５９】
<実施例３：ハードウェア構成図>
以下に、本実施形態の実施例３について説明する。
図１２は、本実施例のＡＶ装置のハードウェア構成の一例を示す概略図である。この図を利用して、ＡＶ装置の音声映像出力制御情報の入出力処理におけるそれぞれのハードウェア構成部の働きについて説明する。この図にあるように、ＡＶ装置１２００は、保持部１２０１に「フラッシュメモリ」（１２０８）を備えている。また、ＡＶ装置は、入出力部１２０２に「対記録媒体ドライブ入出力手段」（１２０５）と、「対通信部入出力手段」（１２０６）とを備えている。また、対記録媒体ドライブ入出力手段は、「対記録媒体ドライブコントローラ」（１２１２）を備えている。また、対通信部入出力手段は、「通信インタフェースコントローラ」（１２１３）を備えている。また、ＡＶ装置は、制御部１２０３に「ＡＶコントローラ」（１２１０）を備えている。また、ＡＶ装置は、記録媒体ドライブ部１２０４に「ドライブ用コントローラ」（１２１１）を備えている。ドライブ用コントローラは、「入出力インタフェース」（１２０９）と接続されている。また、ＡＶ装置は、通信部１２０６である「通信インタフェース」（１２１４）を備えている。通信インタフェースは、「入出力インタフェース」（１２２０）と接続されている。また、ＡＶ装置は、「ＣＰＵ（中央処理装置）」（１２１５）と、「記憶装置」（１２１６）と、「主メモリ」（１２１７）と、「内蔵時計」（１２１８）とを備えている。そして、それらが「システムバス」（１２１９）などのデータ通信経路によって相互に接続され、情報の送受信や処理を行う。
【００６０】
記憶装置は、ＣＰＵにて実行される各種プログラム（例えば音声映像出力制御情報取得用プログラム、ファイル化用プログラム、自身制御用プログラムなど、記録媒体ドライブ用プログラム、通信用プログラムなど）、コンテンツのデータ、他の電子機器ＩＤなどを記憶している。また、通信インタフェースコントローラは、入出力インタフェース１２２０を介して、ＣＰＵからの指令により、主メモリを利用して、フラッシュメモリからの音声映像出力制御情報を読み出したり、取得した音声映像出力制御情報を通信ネットワークに適合するファイル形式に変換したりする処理を行う。また、通信インタフェースは、ＣＰＵからの指令により、取得したファイル形式の音声映像出力制御情報を通信ネットワークと入出力する処理を行う。それ以外の構成については、実施形態１又は２の実施例１又は２と同様であるので説明を省略する。以上が各ハードウェア構成の機能である。なお、対記録媒体ドライブコントローラ、入出力コントローラ、ＡＶコントローラは、通信インタフェースコントローラは、ハードウェアのみによって構成されていてもよいし、ソフトウェア制御のみであってもよいし、あるいはハードウェア及びソフトウェアによって構成されていてもよい。
【００６１】
以下に、フラッシュメモリから取得した音声映像出力制御情報を通信インタフェースコントローラから通信インタフェースに出力する場合について説明する。まずＣＰＵからの通信インタフェース入出力命令により、記憶装置に記憶されている音声映像出力制御情報取得用プログラム（アドレス０１）が主メモリのワーク領域に展開され、フラッシュメモリから音声映像出力制御情報を取得するように、通信インタフェースコントローラに起動がかけられる。起動がかけられた通信インタフェースコントローラは、フラッシュメモリから音声映像出力制御情報（アドレス２１、２２）を取得するとともに、主メモリ（アドレス１２、１３）に書き込む。次に、ＣＰＵからのファイル化命令により通信インタフェースコントローラは、ファイル化用プログラムを主メモリ（アドレス１０）に展開し、ファイル化用プログラムに従って、上記音声映像出力制御情報を通信ネットワークに適合するファイル形式に変換する。次に、通信インタフェースコントローラは、ファイル形式に変換された音声映像出力制御情報を通信ネットワークに出力する。
【００６２】
フラッシュメモリから取得した音声映像出力制御情報をＡＶコントローラが自身を制御する場合、ドライブ用コントローラを利用する場合については、実施形態1又は２の実施例1又は２と同様なので説明を省略する。
【００６３】
<実施形態３の効果の簡単な説明>
本実施形態のＡＶ装置によれば、音声映像出力制御情報をファイル形式で通信ネットワークと入出力できる。従って、ファイル形式の音声映像出力制御情報を通信ネットワークを介して他の電子機器と入出力することが可能となる。
【産業上の利用可能性】
【００６４】
本発明は、ＤＶＤレコーダー、ビデオレコーダー、その他の映像を扱うＡＶ装置であって、音声映像出力制御情報の転送装置に利用可能である。
【図面の簡単な説明】
【００６５】
【図１】実施形態１の機能ブロック図
【図２】実施形態１の処理の流れ図
【図３】実施形態１の具体的機能ブロック図
【図４】実施形態１の実施例１のハードウェア構成図
【図５】実施形態２の機能ブロック図
【図６】実施形態２の処理の流れ図
【図７】実施形態２の具体的機能ブロック図
【図８】実施形態２の実施例２のハードウェア構成図
【図９】実施形態３の機能ブロック図
【図１０】実施形態３の処理の流れ図
【図１１】実施形態３の具体的機能ブロック図
【図１２】実施形態３の実施例３のハードウェア構成図
【図１３】実施形態１の機能ブロック（その２）図
【図１４】実施形態１の具体的機能ブロック（その２）図
【図１５】実施形態１の実施例１のハードウェア構成（その２）図
【図１６】実施形態１のタイマ予約情報を説明するための図
【図１７】実施形態１の初期設定情報を説明するための図
【図１８】実施形態１の音声映像出力制御情報設定前の内容を示す図
【図１９】実施形態１の音声映像出力制御情報設定後の内容を示す図
【図２０】実施形態１の音量デフォルト設定を説明するための図
【図２１】実施形態１の音声映像出力制御情報のアイコン画面を説明するための図
【図２２】実施形態１のアイコンで示された音声映像出力制御情報の設定内容を説明するための図
【図２３】実施形態１の概念を説明するための図
【符号の説明】
【００６６】
０１００  ＡＶ装置
０１０１  保持部
０１０２  入出力部
０１０３  制御部
【図１】
2007102932.tif 000003
【図２】
2007102932.tif 000004
【図３】
2007102932.tif 000005
【図４】
2007102932.tif 000006
【図５】
2007102932.tif 000007
【図６】
2007102932.tif 000008
【図７】
2007102932.tif 000009
【図８】
2007102932.tif 000010
【図９】
2007102932.tif 000011
【図１０】
2007102932.tif 000012
【図１１】
2007102932.tif 000013
【図１２】
2007102932.tif 000014
【図１３】
2007102932.tif 000015
【図１４】
2007102932.tif 000016
【図１５】
2007102932.tif 000017
【図１６】
2007102932.tif 000018
【図１７】
2007102932.tif 000019
【図１８】
2007102932.tif 000020
【図１９】
2007102932.tif 000021
【図２０】
2007102932.tif 000022
【図２１】
2007102932.tif 000023
【図２２】
2007102932.tif 000024
【図２３】
2007102932.tif 000025